(57)【特許請求の範囲】
【請求項１】
内部空間を有するステーションハウジングと、
前記ステーションハウジングの前記内部空間に少なくとも部分的に配置可能であり、前記ステーションハウジングの前記内部空間の有害生物の存在を監視するように動作可能な有害生物監視デバイスと、を備え、前記有害生物監視デバイスは、
前記ステーションハウジングの前記内部空間に配置可能な餌製品と、
前記餌製品内に少なくとも部分的に配置された導電センサであって、導電フィラメントと、前記導電フィラメントを少なくとも部分的に収容する容器とを備え、前記導電フィラメントが、前記ステーションハウジングの前記内部空間の環境への暴露に反応し、それにより前記導電センサの少なくとも一つの電気的特性が、前記ステーションハウジングの前記内部空間の前記環境への前記フィラメントの暴露に応答して変化する、導電センサと、
前記ステーションハウジング内に前記導電センサと通信するように配置された通信部材であって、前記導電センサの前記少なくとも一つの電気的特性を判定し、前記導電センサの前記少なくとも一つの電気的特性を示す信号を前記ステーションハウジングの外部へ送るように動作可能な通信部材とを備える、
有害生物監視システム。
【請求項２】
前記有害生物監視システムは、シロアリ監視システムであり、前記容器は、シロアリ受入可能材料から少なくとも部分的に構成され、前記導電フィラメントは、シロアリが前記容器を咀嚼したとき、前記ステーションハウジング内の前記環境に暴露される、請求項1に記載の有害生物監視システム。
【請求項３】
前記導電センサは、並列回路を画定するように電気的に一体に接続された複数の導電フィラメントを備える、請求項1に記載の有害生物監視システム。
【請求項４】
前記導電フィラメントは、前記フィラメントが前記容器内で前後に巻かれる単一の連続回路を備える、請求項1に記載の有害生物監視システム。
【請求項５】
前記ステーションハウジング内の前記通信部材と通信して前記導電センサの前記少なくとも一つの電気的特性を示す前記信号を受信するように動作可能な質問器デバイスをさらに備える、請求項1に記載の有害生物監視システム。
【請求項６】
前記質問器デバイスと通信して前記導電センサの前記少なくとも一つの電気的特性を示す前記信号を受信するように動作可能な遠隔監視システムをさらに備える、請求項5に記載の有害生物監視システム。
【請求項７】
内部空間を有するステーションハウジングと、
前記ステーションハウジングの前記内部空間に少なくとも部分的に配置可能であり、前記ステーションハウジングの前記内部空間の有害生物の存在を監視するように動作可能な有害生物監視デバイスと、を備え、前記有害生物監視デバイスは、
前記ステーションハウジングの前記内部空間に配置可能な餌製品と、
前記餌製品内に少なくとも部分的に配置された導電センサであって、並列回路を画定するように電気的に一体に接続された複数の導電フィラメントと、前記導電フィラメントを少なくとも部分的に収容する容器とを備え、前記導電フィラメントが、前記ステーションハウジングの前記内部空間の環境への暴露に反応し、それにより前記導電センサの少なくとも一つの電気的特性が、前記ステーションハウジングの前記内部空間の前記環境への前記フィラメントの暴露に応答して変化する、導電センサと、
前記ステーションハウジング内に前記導電センサと通信するように配置された通信部材であって、前記導電センサの少なくとも一つの電気的特性を判定し、前記導電センサの前記少なくとも一つの電気的特性を示す信号を前記ステーションハウジングの外部へ送るように動作可能な通信部材とを備える、
有害生物監視システム。
【請求項８】
前記有害生物監視システムは、シロアリ監視システムであり、前記容器は、少なくとも部分的にシロアリ受入可能材料から構成され、前記導電フィラメントの少なくとも一つは、シロアリが前記容器を噛み抜いたとき、前記ステーションハウジング内の前記環境に暴露される、請求項7に記載の有害生物監視システム。
【請求項９】
前記ステーションハウジング内の前記通信部材と通信して前記導電センサの前記少なくとも一つの電気的特性を示す前記信号を受信するように動作可能な質問器デバイスをさらに備える、請求項7に記載の有害生物監視システム。
【請求項１０】
前記質問器デバイスと通信して前記導電センサの前記少なくとも一つの電気的特性を示す前記信号を受信するように動作可能な遠隔監視システムをさらに備える、請求項5に記載の有害生物監視システム。
【請求項１１】
前記容器は、それぞれ前記導電センサの個々のフィラメントを覆うコーティングおよびシースの少なくとも一つを備える、請求項7に記載の有害生物監視システム。
【請求項１２】
構造近傍の有害生物の存在を監視する方法であって、
少なくとも一つの監視デバイスを前記構造近傍に配置するステップであって、前記監視デバイスは、餌製品と、前記餌製品内に少なくとも部分的に配置された導電センサと、前記餌製品に前記導電センサと通信するように接続された通信部材とを備え、前記導電センサは、導電フィラメントと、前記導電フィラメントを少なくとも部分的に収容する容器とを備え、前記導電フィラメントは、前記容器の外部の環境への暴露に反応し、それにより前記導電センサの少なくとも一つの電気的特性が、前記容器の外部の前記環境への前記フィラメントの暴露に応答して変化し、前記通信部材は、前記導電センサの前記少なくとも一つの電気的特性を判定し、前記導電センサの前記少なくとも一つの電気的特性を示す信号を前記ステーションハウジングの外部へ送るように動作可能である、ステップと、
前記導電センサの前記少なくとも一つの電気的特性を示す前記信号を前記通信部材から断続的に受信するステップと、
一定期間にわたって前記通信部材から受信した複数の前記信号に基づいて、前記少なくとも一つの監視デバイスにおける有害生物の侵入レベルおよび前記餌製品の劣化レベルの少なくとも一つを判定するステップと、を含む方法。
【請求項１３】
前記配置するステップは、複数の前記監視デバイスを前記構造近傍に配置することを含む、請求項12に記載の方法。
【請求項１４】
前記受信するステップは、前記構造から遠隔する位置の前記通信部材から前記信号を受信し、それにより前記少なくとも一つの監視デバイスにおける有害生物の侵入レベルおよび前記餌製品の劣化レベルの前記少なくとも一つを前記遠隔する位置から監視することができるようにすることを含む、請求項12に記載の方法。
【請求項１５】
前記方法は、構造近傍でシロアリの存在を監視するためのものであり、前記容器は、シロアリ受入可能材料から少なくとも部分的に構成され、それによって前記導電フィラメントは、シロアリが前記容器を噛み抜いたとき、前記容器の外部の前記環境に暴露される、請求項12に記載の方法。
【発明の詳細な説明】
【技術分野】
【０００１】
本開示の分野は、概して、有害生物の防除に関し、より詳細には、有害生物監視システムおよび有害生物の存在の遠隔監視方法に関し、さらに詳細には、生物反応性感知システムならびに有害生物の遠隔監視および/または防除方法に関する。
【背景技術】
【０００２】
一つのタイプの有害生物防除製品、より具体的にはシロアリ食餌誘引製品の現況技術は、ステーションハウジングと適切な餌システムとの組合せを含む。ステーションハウジングは、典型的には、その全体ではないにしても、その大部分が地表レベルより下方に位置するように設置される。これらのステーション内には、シロアリ餌製品(たとえば、餌母材と毒物との組合せ)が配置されており、シロアリ餌製品は、シロアリの嗜好に合うように設計されており、毒物を伴う餌母材の給餌を促進する。他の従来のシステムでは、シロアリの監視および防除は、2段階のシステムを含み、このシステムは、最初にステーションハウジング内で餌製品の代わりに使用される監視デバイスの使用を含む。ひとたび監視デバイスがシロアリの存在の兆候を提示すると、監視デバイスの代わりに、または監視デバイスに加えて、ステーションハウジング内へ適切な餌製品が挿入される。
【０００３】
シロアリの存在の遠隔監視を可能にすることが意図される一つのシステムでは、ステーションハウジングの外部に配置された適切な質問器との通信(たとえば、ステーションの検査を担うサービス技師によって行われる)が可能な監視デバイスが、ステーションハウジング内に配置される。監視デバイスは、二つの木の棒が付属された無線周波(RF)通信システムを含み、これらの棒の間には、単一の導電回路を有するペーパーフィラメント(paper filament)が挟まれる。質問器などによるRF通信システムの起動は、導電回路の読み取りを誘発し、RF通信システムは、回路の状態に関する信号を質問器に送る。回路がそのままである限り、RF通信システムによって生成される信号は、回路が依然としてそのままであるという信号を中継し、シロアリが存在しないことを示す。シロアリの給餌などによって回路が破損され、または他の形で損傷された場合、導電回路の電気的特性が変化し、シロアリの存在を示す信号が、RF通信器によって質問器へ中継される。次いで、サービス技師は、ステーションを開放し、この監視装置を、毒物を含有する餌製品に交換する。
【発明の概要】
【発明が解決しようとする課題】
【０００４】
上記のようなシステムの一つの欠点は、湿気、腐敗、および何らかの他の虫が導電回路を破壊する可能性があり、その結果、シロアリの活動の誤った通知を生じさせ、サービス技師に内部モニタを開放、検査、および交換させ、貴重な時間を浪費させることである。個人住宅では住宅構造物の周りに平均20個のステーションを設置することができるため、機能していないステーションを開放および検査して無駄になる総時間は厖大であり、労働コストを考慮すると、コストを指数的に増大させる可能性がある。加えて、このタイプのシステムは、シロアリの存在の「有無」の監視として最もよく説明されるものを可能にし、たとえば、ひとたびシロアリの存在が監視デバイスによって示されると、シロアリの存在のレベルおよび/または損傷された監視デバイスの量を示すさらなる監視または情報をデバイスから入手できなくなる。
【０００５】
したがって、冗長性ならびに監視デバイスに対する侵入および/または損傷レベルを監視する能力を提供する改善された遠隔有害生物防除監視システムが必要とされている。
【課題を解決するための手段】
【０００６】
一態様では、有害生物監視システムは、概して、内部空間を有するステーションハウジングと、該ステーションハウジングの内部空間に少なくとも部分的に配置可能であり、該ステーションハウジングの内部空間の有害生物の存在を監視するように動作可能な有害生物監視デバイスとを備える。前記有害生物監視デバイスは、概して、前記ステーションハウジングの内部空間に配置可能な餌製品を備える。導電センサは、少なくとも部分的に前記餌製品内に配置され、このセンサは、導電フィラメントと、該導電フィラメントを少なくとも部分的に収容する容器とを備える。前記導電フィラメントは、前記ステーションハウジングの内部空間の環境への暴露に反応し、それにより前記導電センサの少なくとも一つの電気的特性が、前記ステーションハウジングの内部空間の環境への前記フィラメントの暴露に応答して変化する。通信部材は、前記導電センサと通信するように前記ステーションハウジング内に配置される。通信部材は、前記導電センサの少なくとも一つの電気的特性を判定し、前記導電センサの少なくとも一つの電気的特性を示す信号を前記ステーションハウジングの外部へ送るように動作可能である。
【０００７】
別の態様では、有害生物監視システムは、概して、内部空間を有するステーションハウジングと、該ステーションハウジングの内部空間に少なくとも部分的に配置可能であり、該ステーションハウジングの内部空間の有害生物の存在を監視するように動作可能な有害生物監視デバイスとを備える。餌製品は、前記ステーションハウジングの内部空間に配置可能である。導電センサは、少なくとも部分的に前記餌製品内に配置され、このセンサは、概して、並列回路を画定するようにともに電気的に接続された複数の導電フィラメントと、該導電フィラメントを少なくとも部分的に収容する容器とを備える。通信部材は、前記導電センサと通信するように前記ステーションハウジング内に配置される。前記通信部材は、前記導電センサの少なくとも一つの電気的特性を判定し、前記導電センサの少なくとも一つの電気的特性を示す信号を前記ステーションハウジングの外部へ送るように動作可能である。
【０００８】
一態様では、構造近傍の有害生物の存在を監視する方法は、概して、少なくとも一つの監視デバイスを構造近傍に配置するステップを含む。前記監視デバイスは、概して、餌製品と、少なくとも部分的に該餌製品内に配置された導電センサとを備える。このセンサは、概して、導電フィラメントと、該導電フィラメントを少なくとも部分的に収容する容器とを備え、該導電フィラメントは、該容器の外部の環境への暴露に反応し、それにより前記導電センサの少なくとも一つの電気的特性が、前記容器の外部の環境へのフィラメントの暴露に応答して変化する。通信部材は、前記導電センサと通信するように前記餌製品に接続され、前記導電センサの少なくとも一つの電気的特性を判定し、前記導電センサの少なくとも一つの電気的特性を示す信号をステーションハウジングの外部へ送るように動作可能である。前記導電センサの少なくとも一つの電気的特性を示す信号は、前記通信部材から断続的に受信される。一定期間にわたって前記通信部材から受信した複数の信号に基づいて、少なくとも一つの前記監視デバイスにおける有害生物の侵入レベルおよび前記餌製品の劣化レベルの少なくとも一つが判定される。
【図面の簡単な説明】
【０００９】
【図１】有害生物監視システムの一実施形態の概略図である。
【図２】図1の有害生物監視システムで使用するためのシロアリステーションの一実施形態の斜視図である。
【図３】図1の有害生物監視システムで使用するための、図2のシロアリステーション内に配置可能な監視デバイスの一実施形態の斜視図である。
【図４】監視デバイスのさらなる構造を明らかにするために端部キャップが取り除かれた図3の監視デバイスの斜視図である。
【図５】導電センサが通信部材とともに示されている、図4の監視デバイスの半分の斜視図である。
【図６】別の導電センサが示されている、監視デバイスの別の実施形態の半分の斜視図である。
【図７】図1の有害生物監視システムで使用するための、図2のシロアリステーション内に配置可能な監視デバイスの別の実施形態の斜視図である。
【発明を実施するための形態】
【００１０】
いくつかの図面の全体にわたって対応する参照文字は対応する部分を示す。
【００１１】
図面、特に図1を参照すると、特にシロアリ監視システムに係る遠隔有害生物防除監視システム21の一実施形態が図示され、ここに記載されている。たとえば、図示の実施形態では、遠隔監視システム21は、シロアリの存在を監視すべき住宅構造103または他の構造の外周の周りの離隔する位置に配置された(たとえば、少なくとも部分的に地中に設置された)複数のシロアリステーション101を備える。構造103の周りに任意の数のシロアリステーション101を配置することができ、シロアリステーションは、構造の外周全体ではなく、外周のうち一つ以上の長い個別の区画などに配置することもできることが理解される。
【００１２】
図2を参照すると、各シロアリステーション101は、ステーションハウジング201を備えることができる。このステーションハウジングは、少なくとも部分的に地中に配置可能であり、シロアリステーションの様々な構成要素の配置のための内部空間を画定する。図示のステーションハウジング201は、取り外し可能な蓋203を含む。
【００１３】
このステーションハウジング201は、監視デバイス111(図3)を収容する。監視デバイス111は、好適には生物反応性監視デバイスであり、ここでは、生物活性遠隔感知システム21によって監視および/または防除されるべき一以上の有害生物の存在に応答する監視デバイスを指す。たとえば、システム21がシロアリを監視および/または防除する図1の実施形態では、生物反応性監視デバイス111は、ステーションハウジング201内のシロアリの存在に応答し、より詳細な実施形態では、デバイスは、デバイス上での給餌、または咀嚼などによってデバイスに接触するシロアリに応答する。図示の実施形態では、生物反応性監視デバイスは、少なくともシロアリを監視し、いくつかの実施形態ではシロアリを防除するために、ステーションハウジング201内に配置されるように構成された餌製品113を含む。餌製品113は、少なくとも、シロアリの嗜好に合い、より好適にはシロアリを誘引する材料母材115を含む。シロアリの防除が意図される場合、餌製品113は、シロアリに対して毒物である活性成分をさらに含むことができる。材料母材115を構成することができる適切な材料は、当業者に知られており、ここでさらに記載はしない。シロアリに対して毒物である適切な活性成分も当業者に周知である。
【００１４】
図示の実施形態では、餌製品113は、ステーションハウジング201の形状に対応して略円筒形である。しかし、ステーションハウジング201および/または餌製品113は、本発明の範囲から逸脱することなく、任意の適切な形状とすることができることが理解される。特に図4および図5を参照すると、図示の餌製品113は、組立て時に互いに概ね対向する関係にある二つの長手方向の半分から形成される。導電センサ116が配置され、餌製品の二つの半分の間に長手方向に延びる(たとえば、二つの半分によって挟まれる)。他の実施形態では、餌製品113は、導電センサ116が餌製品に少なくとも部分的に埋め込まれた単体構造とすることができ、これを本発明の範囲内とすることができることが理解される。
【００１５】
適切な一実施形態による導電センサ116は、並列回路を形成するように一体に接続された一連のフィラメント118(たとえば、ワイア)を備え、複数のフィラメントは、餌製品の幅全体にわたって互いに略平行に隔置された関係で、餌製品113の長手方向に延びる。他の実施形態では、平行なフィラメント118は、餌製品113の幅全体にわたって、餌製品の高さに沿って隔置された関係で延びることができる。そのような並列回路の他の構成もまた、本発明の範囲内であることが企図される。フィラメント118は、好適には、ステーションハウジング201内の環境(たとえば、湿気、空気、地面、シロアリ副生成物)への暴露に反応する導電材料から作られ、そのような暴露の結果、導電率および/または抵抗率などのフィラメントの一以上の導電特性が変化する。たとえば、ステーションハウジング201内の環境への暴露による腐食、酸化、または他の反応の結果として、導電率、抵抗率、または他の導電特性が変化する任意の適切な金属、複合物、または他の材料を、フィラメント材料として使用することができる。適切なフィラメント材料のいくつかの非限定的な例には、マグネシウムワイア、銅ワイア、金属化インク、および反応性ゲルが含まれる。
【００１６】
導電センサ116は、フィラメントをその中に実質的に収容する容器119をさらに含む。特に適切な一実施形態では、容器119は、少なくとも部分的にシロアリ受入可能材料によって構成され、シロアリは、ステーションハウジング201に入ると、この材料を咀嚼することができ、より好適には咀嚼するように誘引される。「シロアリ受入可能材料」という用語は、シロアリが通常の給餌過程で咀嚼する材料を指す。たとえば、一実施形態では、シロアリ受入可能材料は、それだけに限定するものではないが、セルロースアセテートブチレート、セルロースアセテートプロピオネート、ポリスチレン、ポリエチレン、ポリウレタン、およびポリプロピレンなど、高分子コーティング、被覆、ラップ、ポーチ、または他の容器を含むことができる。他の実施形態では、シロアリ受入可能材料は、ワックスコーティングまたは容器を含むことができる。図示の実施形態では、容器119は、ポーチの形であり、このポーチの中に1組のフィラメント118全体が収容される(餌製品113の上端まで外方へ延びる適切なリードを除く)。別の実施形態では、容器119の前面および裏面パネルは、フィラメント118の長手方向延長部間で一体に接着することができ、それにより各フィラメントが、それぞれ個々のポーチ内に収容される。容器119は、それぞれ個々のフィラメントを覆うコーティングまたはシースを代替的に備えることができ、これを本発明の範囲内とすることができることも企図される。
【００１７】
さらに図4および図5を参照すると、監視デバイス111は、導電センサ116の一つ以上の電気的特性を伝送することが可能な通信部材121をさらに備える。特に、通信部材121は、導電回路を作動させて、センサ116の少なくとも一つの電気的特性を評価させ、センサの少なくとも一つの電気的特性を示す信号をステーションハウジング201から遠隔する位置へ伝送させることが可能である。一実施形態では、たとえば、通信部材121は、導電センサ116と電気的に通信する無線周波(RF)通信部材である。より好適には、通信部材121は、ステーションハウジング201から信号を受信しかつ伝送することが可能なRFトランシーバである。より適切な実施形態では、通信部材121は、それだけに限定するものではないが、RF(たとえば、受動型RFID、能動型RFID、半受動型RFID、高周波RFID、低周波RFID、超高周波RFID)、近距離通信(NFC)、Bluetooth Low Energy(BLE)、Bluetooth Smart、WiFi、網目状ネットワーク、広域ネットワーク、衛星通信、セルラー通信、遠距離通信、ビーコン、誘導結合、容量結合、IEEE 802.11、IEEE 802.15.4、3Gセルラー、4Gセルラー、IEEE 802.16、WiMax、Zigbee、およびWirelessHartなどの無線通信が可能である。
【００１８】
図3および図4に示すように、監視デバイス111の両端部のそれぞれに、端部キャップ122が備えられる。監視デバイスの上端の端部122は、餌製品の端部上で導電センサ116のリードと電気的に通信するように通信部材121を保持する。他の実施形態では、端部キャップ122の一方または両方を省略することができることが理解される。他の実施形態では、端部キャップ122は、本発明の範囲から逸脱することなく、様々な図に示すものより長手方向に短くすることができる。端部キャップ122は、任意の適切な材料から構成することができるが、特に適切な実施形態では、端部キャップは、シロアリ受入可能材料から構成される。
【００１９】
再び図1を参照すると、遠隔感知システム21は、シロアリステーション101のそれぞれの中に配置された監視デバイスを検査する少なくとも一つの質問器デバイス123をさらに備える。図示の実施形態では、少なくとも一つの質問器デバイス123は、複数のシロアリステーション101近傍に配置された少なくとも一つのRF受信器、より好適にはトランシーバを備える。質問器デバイス123は、シロアリステーション101内の監視デバイス111と通信するために使用されている無線通信手段に応じて、RF受信器またはトランシーバ以外のものとすることができることが理解される。一例では、一以上の質問器デバイス123は、構造103近傍において、シロアリステーション101の外部であるが他の点ではシロアリステーション101近傍にも配置することができる。他の実施形態では、一以上の質問器デバイス123は、代替または追加として、構造103の一以上の角に対応するステーションなど、シロアリステーション101の一以上の中に配置することができる。さらに他の実施形態では、質問器デバイス123は、携帯型ユニットを備えることができることが企図される。この携帯型ユニットは、サービス技師がシロアリステーションセンサ116の状態の読み取りを行うために複数のシロアリステーション101近傍へ運ぶことができる。
【００２０】
質問器デバイス123は、監視デバイス111によって伝送される信号を待つという点で、受動型とすることができ、またはそのシロアリステーションに対するセンサの状態を要求する信号をそれぞれのシロアリステーション101の監視デバイス111の通信部材121へ送るという点で、能動型とすることができる。次いで質問器デバイス123は、導電センサ116の電気的特性を示す信号など、それぞれの監視デバイスの状態に関する帰還信号を、通信部材121から受信する。
【００２１】
有害生物監視方法の一実施形態による動作では、通信部材121は、好適には、通信部材に付随するタイミングユニットによって断続的に作動されることによって、または質問器デバイス123から状態要求信号を受信することに反応することなどにより作動する。通信部材を作動させるとき、導電センサ116に関連する少なくとも一つの電気的特性が、通信部材121によって判定される。一実施形態では、たとえば、少なくとも一つの電気的特性は、通信部材121がセンサ116を作動させ、導電センサ116の状態、より詳細にはセンサのフィラメント118の環境への暴露レベルを判定するのに費やす時間を含む。すなわち、導電センサ116が容器119内に収容され、容器が損なわれていないとき、評価の応答時間は、第1の応答時間であり、シロアリにかじり取られることなどによって基板が損なわれて、フィラメントがステーションハウジング201内の環境に暴露されているとき、評価の応答時間は、第2の応答時間であり、この第2の応答時間は、第1の応答時間とは異なり、より好適には第1の応答時間より長い。これは、シロアリがシロアリステーション101内で活動中であるという兆候を提示する。
【００２２】
容器119のより多くの部分がシロアリによって損なわれると、フィラメントのより大きい範囲が環境に暴露され、したがってそのような暴露に関して反応する。これは、導電センサの少なくとも一つの電気的特性をさらに変化させることになる(たとえば、図示の実施形態では、第2の応答時間をさらに増大させる)。その結果、導電センサを使用して、一定期間にわたって少なくとも一つの電気的特性の劣化または変化を評価することができ、したがってシロアリステーション101を監視するサービス技師または他の人物が、シロアリステーション内の侵入レベルが時間とともに増大しているかどうかを評価することを可能にする。加えて、フィラメント118が並列回路を形成するため、フィラメントの一つが破断した場合(または噛み抜かれた場合)、回路は、それでもなお完全であり、少なくとも一つの電気的特性に対する変化を引き続き監視することを可能にする。監視デバイス111によって判定される少なくとも一つの電気的特性は、応答時間以外のものとすることができ、これを本発明の範囲内とすることができることが理解される。
【００２３】
別の実施形態では、センサ116の容器119を構成するシロアリ受入可能材料は、所定の期間(たとえば、1年または2年)で消耗するように選択することができ、それによりシロアリステーション101内で機能停止状態が長期間続いた後、少なくとも一つの電気的特性は、シロアリステーションのサービス、たとえば餌製品の交換の必要を示す。たとえば、シロアリ受入可能材料は、餌製品113の有効性、特に存在するときは活性成分の有効性に関連する所定の期間で、消耗するように構成することができる。
【００２４】
図1をさらに参照すると、システム21は、構造103の位置から遠隔する遠隔監視システム131をさらに備えることができる。たとえば、遠隔監視システム131は、サービス技師の事務所に配置することができる。遠隔監視システム131は、好適には、質問器デバイスによって収集された状態情報を受信するために、無線通信、インターネット、セルラーサービス、または他の適切な通信システムなどによる質問器デバイス123との通信が可能である。動作の際、活動中のシロアリ給餌を示す監視デバイス111の状態変化が質問器部材123によって検出されたとき、この情報は、質問器部材によって遠隔監視システム131へ伝送され、遠隔監視システム131でこの警報への応答を構成することができる。そして、サービス技師は、たとえばシロアリステーション101を検査する時間を予定することができる。
【００２５】
そのような構成は、特定の位置のシロアリステーション101が遠隔監視システム131から連続して監視されることを可能にする。したがって、そのような構成は、シロアリステーションを検査するためのシロアリステーション101の位置(たとえば、住宅構造103)への定期的な訪問の必要をなくす。そのような構成はまた、サービス技師が、たとえばサービス技師による定期的に予定された検査訪問の間の期間全体にわたって待機するのではなく、シロアリの活動をより迅速に認識してそれに対処することを可能にする。
【００２６】
図6に示す別の実施形態では、監視デバイス111の導電センサ116は、餌母材の幅全体にわたって前後に巻かれた餌製品113の長さ方向に延びる単一の連続するフィラメント118(たとえば、ワイア)を備える。この構成には図5のセンサ116の冗長性がないが、フィラメントの複数の長さ方向の延長部は、シロアリが容器119を咀嚼すると露出され得るより多くの材料を提供し、したがって、侵入レベルが増大しまたはさらなる量の餌製品113がシロアリによって消費される期間にわたって、少なくとも一つの電気的特性が増加する変化を追跡する能力を変わらずに提供する。
【００２７】
図7は、餌製品313が餌製品の長さに沿って長手方向に延びる中心通路314を有する監視デバイス311の別の実施形態を示す。
【００２８】
別の実施形態では、この遠隔有害生物監視システム21は、ステーションハウジングおよび齧歯類餌製品を組み込む齧歯類の餌ステーションを監視するために使用することができる。餌製品内に組み込まれまたは餌製品と組み合わされた一つ以上のセンサは、齧歯類の給餌活動の正確な評価を提供することができる。次いでこの情報は、遠隔監視システムへ中継することができ、検出された活動の位置およびタイプに基づいて、応答計画を始動させることができる。前述のように、機構は、センサおよび/または餌製品の寿命又は状態に関する警報を現場で提供するセンサに組み合わせることができ、したがって実行可能かつ有効な餌製品を現場で維持する能力がサービス提供者または検査者に与えられる。
【００２９】
本発明または本発明の好ましい実施形態の要素を導入するとき、「a」、「an」、「the」、および「前記(said)」の冠詞は、それらの要素が一つ以上存在することを意味することが意図される。「備える、含む(comprising)」、「含む(including)」、および「有する(having)」という用語は、包括的であり、記載の要素以外の追加の要素とすることもできることを意味することが意図される。
【００３０】
本発明の範囲から逸脱することなく上記に様々な変更を加えることができるため、上記の説明に含まれかつ添付の図面に示されるすべての事項は、限定的な意味ではなく例示的であると解釈されるものであることが意図される。
【図１】
0006518253.tif 000002
【図２】
0006518253.tif 000003
【図３】
0006518253.tif 000004
【図４】
0006518253.tif 000005
【図５】
0006518253.tif 000006
【図６】
0006518253.tif 000007
【図７】
0006518253.tif 000008